(57)【要約】      （修正有）【課題】  再帰反射性能を備えた反射面を有するとともに、この反射面に文字、記号、絵、数字などからなる可視情報を担持した情報担持板を枠体に取り付けてなる道路工事用標示板において、安価なオープン型再帰反射シートを用いてコストを削減し、可視情報を担持した透過シートで反射面を保護した情報担持板とし、場合によっては可視情報を担持した透過シートを交換可能とする。【解決手段】  板状の基材６に、可視情報１０を裏面に担持した透過シート２によって被覆されたオープン型再帰反射シート７を貼り合わせ、該オープン型再帰反射シート７の表面のガラスビーズ４と透過シート２の間に空気層５を設けて再帰反射性能とともに耐久性も保持させ、さらに、オープン型再帰反射シ−ト７と透過シ−ト２は四辺周縁部のみで貼り合わせて、透過シート２を必要に応じて交換できる情報担持板１とした。【選択図】  図４
2006009541.tif 000002
【特許請求の範囲】
【請求項１】
板状の基材に再帰反射性能を備えたオ−プン型再帰反射シートからなる反射面を設け、該反射面の四辺周縁部のみに設けた粘着部によって、雨水等を防水しかつ気体のみを透湿させる吸排出口を備えて可視情報を担持した透過シートを張り合わせ、該反射面にあるガラスビーズの表面と該透過シ−トの間に空気層を形成させた情報担持板を備えた道路工事用標示板。
【請求項２】
耐水圧が１０、０００ｍｍ以上、透湿度４、０００ｇ／ｍ２／２４ｈｒ以上のレベルである高機能の透湿防水素材からなる前記吸排出部を備えた情報担持板からなる請求項１記載の道路工事用標示板。
【請求項３】
前記透過シートの面積の２％以内である大きさの前記吸排出部を２か所以上備えた情報担持板からなる請求項１、２記載の道路工事用標示板。
【請求項４】
粒経が４０〜１００μで屈折率１、９０〜１，９３のガラスビーズからなるオープン型再帰反射シートで反射面を形成した情報担持板を備えた請求項１、２、３記載の道路工事用標示板。
【発明の詳細な説明】
【技術分野】
【０００１】  本発明は、再帰反射特性（入射光を光源方向に反射する特性）を備えた反射面を有するとともに、この反射面に文字、記号、絵、図形等からなる可視情報を担持した情報担持板を有しており、道路工事に関する情報を表示する道路工事用標示板に関する。
【背景技術】
【０００２】  従来のこの種の道路工事用標示板においては、一般に、可視情報を担持した再帰反射シートからなる情報担持板を枠体の厚さ方向最前端に取り外し不可能に固定していた（例えば、特許文献１参照）。
他方、本出願人は、前に特許文献２において、可視情報を担持した透過シートおよび再帰反射特性を有する再帰反射シ−トからなる情報担持板を枠体に対して着脱自在とした標示板を提案している。
【特許文献１】      特開平９−２３０７４８号公報
【特許文献２】      特開平２００４−３６１９５号公報
【発明の開示】
【発明が解決しようとする課題】
【０００３】  道路工事用標示板は、通常、工事現場への搬送および工事現場からの持ち帰り等の際、トラック等の車両に積み重ねて積載されて運搬される。しかるに、前述のように従来の道路工事用標示板においては、一般に、可視情報を担持した再帰反射シートの表面が損傷しやすかった。
その上、従来のこの種の道路工事用標示板においては、一般に、可視情報を担持した再帰反射シートからなる情報担持板が枠体に取り外し不可能に固定されていたので、可視情報を担持した再帰反射シートが損傷してしまうと、標示板全体を交換しなければならないため、耐用寿命が極めて短いという問題があった。
また、必要に応じて可視情報を適宜交換できないという問題もあった。【０００４】  他方、本出願人が前記特許文献２において提案した標示板においては、可視情報を担持した透過シートおよび再帰反射シートからなる情報担持板を枠体に対して着脱することにより、簡単に交換できる。しかし、この提案された標示板の情報担持板１においてカプセル型再帰反射シート３が使用されたとき、図１に示されるように、ガラスビーズ４の前面を反射シートのトップシートおよび透過シート２で二重に被覆する構造となっているが、透過シート２がガラスビ−ズ４の前面を外部から保護できるので、トップシ−トは不必要となって、トップシートの材料費およびトップシ−トを被覆する製造費も含めると極めて不経済である。【０００５】  しかし、カプセル型再帰反射シート３はトップシートがなくなると、図２に示されるように、ガラスビーズ４が空気中に露出したオープン型再帰反射シート７（以下、反射シートと略称）となり、このまま使用されるとガラスビーズ４の表面に水または汚れが付着し再帰反射しなくなる問題が発生する。そのため、可視情報１０を担持した透過シート２で反射シート７のガラスビーズ４の前面を被覆した構造の情報担持板１が考えられたが、図３に示されるように、ガラスビーズ４の表面に空気層５を設けずに透過シート２を接着層８で全面接着すると、再帰反射性能が消滅してしまう問題があった。【０００６】  さらに、図４に示されるように、透過シート２と反射シート７の四辺周縁部を粘着して外部と遮蔽しガラスビーズ４の表面に空気層５を設けて反射面とした情報担持板１の場合、透過シート２と反射シート７の間に存在する空気あるいは蒸気が外気温の上昇に伴って膨張し、透過シート２を膨らませる延いては剥離させてしまうという問題が発生する。【０００７】  本発明は、このような従来の事情を鑑みて考案されたもので、本発明の１つの目的は、可視情報を担持した透過シートと反射シートからなる傷つきにくて安価な情報担持板を有する道路工事用標示板を提供することにある。【０００８】  本発明の他の目的は、可視情報を担持し着脱自在とした透過シートと反射シートからなる情報担持板において、外気温の上昇に伴って透過シートが膨張するあるいは剥離しない該情報担持板からなる道路工事用標示板を提供することにある。【０００９】  本発明の他の目的は、以下の説明から明らかになろう。
【課題を解決するための手段】
【００１０】  本発明による道路工事用標示板は、枠体と、透明または透光性の透過シートと、この透過シート裏面に担持された可視情報と、前記透過シートの背後に位置するように前記枠体に取り付けられた、表側が再帰反射特性を有する反射シート（オープン型再帰反射シート）とからなる情報担持板を有してなるものである。
さらに、情報担持板を、板状の基材と、この基材の表面に貼付された劾反射シートと、この表面に剥離可能に粘着された可視情報を裏面に担持している透過シートとを有してなるようにすれば、反射シートのガラスビーズ側が空気層を残して透過シートで覆われており、ガラスビーズも外部に露出していないので雨や汚れで反射性能を失うこともなく、そして反射シートと可視情報は透過シートで保護されており、反射面が損傷しにくいので長期間使用可能で、耐久性に優れた情報担持板からなる道路工事用標示板にすることができる。【００１１】  また、透過シートまたは可視情報が損傷した場合は、透過シートのみを損傷していない透過シートと交換すれば良く、他の構成部品はそのまま長期間使用し続けることができる（勿論、反射シートが損傷したり、劣化した場合、場合によっては情報担持板も交換できる構成にすることもできる）。
また、透過シートおよび可視情報が損傷していなくても、他の種の可視情報を担持した透過シートに交換することにより、必要に応じて可視情報を容易に適宜交換できるようにすることができる。【００１２】  さらに、透過シートと反射シート間に存在する空気が外気温の上昇に伴って膨張して発生する、その結果透過シートを膨張させる延いては剥離させる内気圧は、透過シートの一部に空気の吸排出部を設けることによって防止できる。しかし、単なる空気の通過口を設けて吸排気部としたのでは水も通過してしまい、長期間には反射シートのガラスビーズの表面を水が覆うことになり、反射性能の劣化を招く不都合が生じる。
そのため、本発明においては、透過シ−トの一部に透湿防水素材からなる吸排出部を設けることによって、この問題を解決した。透湿防水素材は、雨水をはじく防水性と、空気や気体の水蒸気または汗などの湿り気を通過させる透湿性を兼ね備えた高機能素材で、ゴルフのウインドブレイカ−やスキーウエア等に広く使用されている。この透湿防水素材からなる吸排出部は、雨水等の水は通さず気体の水蒸気は透湿するので、水による反射性能の劣化および気温の上昇に伴う透過シートの膨れ延いては剥離などの問題を同時に解決できるものである。
【発明の効果】
【００１３】  本発明の道路工事用標示板は、
（イ）耐用寿命を従来品より大幅に長くすることができる、
（ロ）可視情報を必要に応じて適宜交換することができる、
（ハ）再帰反射シ−トとしてオープン型再帰反射シートを使用しているのでコストを大幅に低下させることができる、
等の優れた効果を得られるものである。
【発明を実施するための最良の形態】
【００１４】  以下、本発明を図面に示す実施例に基づいて説明する。
【実施例１】
【００１５】  図４〜７は、本発明の一実施例を示し、この実施例は脚立式の道路工事用標示板に本実施例を適用した例である。本発明の道路工事用標示板１２は、図４に示されるように、枠体１３と、支持体１４と、情報担持板１とから成る。本発明の道路工事用標示板１２に据え付けられる情報担持板１は、図５、６、７に示されており、図５、６は断面図であり、図７は正面前方側から見た斜視図であるが、板状の基材６に反射シート７が貼り付けられ、反射シート７のガラスビ−ズ４の前面は、印刷などにより裏面に担持させられた可視情報１０と透湿防水素材からなる吸排出部１１を備えた透過シート２によって覆わわ、ガラスビーズ４の表面には空気層５が設けられている。透過シ−ト２は、一般に、１００μのＰＥＴフイルムから成っており、両面テープ１５によって反射シート７に貼り重ねられるが、両面テープ１５で貼り合わされる粘着部９は反射シート７および透過シート２の四辺周縁部のみで、必要があれば透過シート２を適宜交換することができる。反射シート７のガラスビーズ４は、透過シート２と粘着部９によって外気から遮断され保護されており、さらに、ガラスビーズ４の表面には空気層５が設けられているので、反射シート７は長期に亘って反射性能を維持する。前記透過シート２は、ポリエチレンテレフタレート（ＰＥＴ）、ポリエステル、ポリカ−ボネ−トなどの透明なプラスチックシートからなる。【００１６】  また、透過シート２、反射シート７および粘着部９によって密封された空気層５は、外気温の上昇に伴って膨張し、透過シート２を膨らませる延いては剥離させてしまうが、図４、６、７に示されるような透湿防水素材からなる吸排出部１１を透過シート２に設けることによって防止することができる。本発明による吸排出部１１は、透過シート２の一部を除去し、透湿防水素材の生地でもって置き換え被覆して作成される。吸排出部１１を形成する透湿防水素材の生地は、接着剤や両面テープなどでの接着、あるいはウエルダ−加工などの熔着によって透過シート２に取り付けられる。透湿防水素材で構成される吸排出部１１は、粒子の大きな雨や水滴の侵入は強力に防止するので、強い雨の日でもガラスビーズ４の表面への雨の侵入を防止でき、ガラスビーズ４の表面にある空気層５の空気や水蒸気は透湿するので、外気温の上昇に伴ってガラスビ−ズ４の表面にある空気層５が膨張して余分となる空気を外部へ排出し、内気圧の上昇を阻止する役目をする。勿論、外気温の下降に伴って空気層５の体積が収縮すれば、外部の空気を取り込み空気層５の体積を調節する役目も担う。前記透湿防水素材は、各社からダ−ミザクス、ゴアテックス、リッチテックなどの商品名で販売され、主として、アウトドア用品に活用されていて、耐水圧が３０、０００ｍｍ、透湿度が２０、０００ｇ／ｍ２／２４ｈｒレベルと非常に高機能な素材もある。吸排出部１１は、２か所以上設けることが好ましいが、透過シート２の表面積に対し２％以下の小さな面積で十分内気圧を調節できる。【００１７】  前記情報担持板１は、板状の基材６と、この基材６の表面に再帰反射性能を有する反射シート７と、この反射シート７の表面に四辺周縁部のみを粘着して剥離可能にした可視情報１０を���面に担持した透過シート２を有して成るようにすれば、反射シート７および可視情報１０が透過シート２により保護される上、透過シート２が損傷した場合、あるいは可視情報１０を変更したい場合、透過シート２だけを交換すれば良く、より経済的な情報担持板１とすることができる。【００１８】  また、本発明の情報担持板１は、前記特許文献２に記載された枠体を備えた道路工事用標示板にも適用することができ、枠体からの着脱も容易となり、さらに有効な利用範囲が広がって好ましい適用となる。【００１９】  さらに、前記実施例は脚立式の道路工事用標示板に本発明を適用した例であるが、本発明は脚立式以外の道路工事用標示板や、道路工事用以外の標示板にも適用できるものである。
【産業上の利用可能性】
【００２０】  以上のように本発明による道路工事用標示板は、道路工事に関連する情報を表示する道路工事用標示板として有用である。
【図面の簡単な説明】
【００２１】
【図１】  特許文献２において提案された道路工事用標示板に用いられた従来型情報担持板の断面図である
【図２】  基材にオープン型再帰反射シ−トを張り合わせた状態を示す断面図である。
【図３】  前記図２のオープン型再帰反射シートのガラスビーズの全表面に接着剤で透過シートを張り合わせ、透過シートとガラスビーズの間に空気層が存在しないことを示す断面図である。
【図４】  本発明による道路工事用標示板の一実施例を開脚状態において前方側から見て示す斜視図である。
【図５】  図４のＸ−Ｘ線における断面図である。
【図６】  図４のＹ−Ｙ線における拡大断面図である。
【図７】  本発明の道路工事用標示板の一実施例において適用された情報担持板を正面前方側から見て示す斜視図である。
【符号の説明】
【００２２】  １    情報担持板
２    透過シート
４    ガラスビーズ
５    空気層
６    基材
７    オープン型再帰反射シート
８    接着層
９    粘着部
１０    可視情報
１１    吸排出部
１２    本発明の道路工事用標示板
【図１】
2006009541.tif 000003
【図２】
2006009541.tif 000004
【図３】
2006009541.tif 000005
【図４】
2006009541.tif 000006
【図５】
2006009541.tif 000007
【図６】
2006009541.tif 000008
【図７】
2006009541.tif 000009